(57)【特許請求の範囲】
【請求項１】
ペン先を保持するホルダーと、内部に塗布液を直接収容可能な容器とからなり、前記容器の先端に、容器内部に塗布液を注入するための注入孔を開口させると共に、前記注入孔に前記ホルダーを着脱自在に構成し、前記ホルダーを前記注入孔に装着することによって前記容器内を密封してなり、
前記ホルダーが、ペン先外面を保持する筒状のペン先保持部を備え、前記ペン先保持部を注入孔から容器内に挿入配置してなり、
前記ペン先保持部の内面に、複数本の軸方向のリブを設け、前記リブによりペン先外面が圧入保持されるとともに、隣接する前記リブ相互間のペン先外面とペン先保持部内面との間に、容器内部と容器外部とを連通させ且つ毛細管力により塗布液を保持する、毛細管力を有する軸方向の隙間を形成し、
前記ペン先保持部内面より突出するリブの径方向突出量を、後方に向かうに従い小さく設定し、前記隙間の径方向の幅寸法を、後方に向かうに従い小さく設定し、
前記隙間は、温度変化等により容器の内圧が増加した際、容器内より溢出した塗布液をその毛細管力により一時的に保持すると同時に、塗布液を保持することにより外部からの空気流入を抑制し、塗布液の消費に伴う容器の内圧が減少した体積分だけ容器内に空気流入を許容することを特徴とする簡易塗布具。
【請求項２】
前記ホルダーが、前方の小径部と後方の大径部からなる外筒と、該外筒の小径部内面に先端外面が固着される内筒とからなり、前記外筒の大径部内面に、前記容器の先端外周面の雄ねじ部と螺合する雌ねじ部を形成し、前記内筒が前記ペン先保持部を構成し、前記内筒の内面に前記軸方向のリブを設け、前記内筒を前記注入孔より前記容器内部に遊挿し、前記外筒内面の環状段部と前記注入孔の開口端部とを密接させた請求項１記載の簡易塗布具。
【発明の詳細な説明】
【０００１】
【発明の属する技術分野】
本発明は、簡易塗布具に関する。詳細には、容器内部に塗布液を補給することにより、繰り返し使用可能な簡易塗布具に関する。尚、本発明で「前」とはペン先側を指し、「後」とは容器側を指す。
【０００２】
【従来の技術】
従来、塗布層の水で濡れた箇所のみが透明化して下層の着色層の色相が現出し、一定時間後に水分が蒸発または吸収されて発色が消色して塗布前の状態に戻る性質を有する繰り返し塗布可能な水像シート（いわゆる水筆紙）に適用される塗布具として、例えば、実開昭６０−２６８９５号公報には、容器の先端にペン先を設けると共に、容器の後端に水（本発明の塗布液）が注入可能な開口部を設けた水筆（本発明の塗布具）が開示されている。
【０００３】
【発明が解決しようとする課題】
前記従来の塗布具は、容器の後端開口部から塗布液を注入する際、ペン先を下向きにし、前記容器の後端開口部からキャップを外して該後端開口部を開口した状態で注入されるため、容器内が大気圧となり重力によって塗布液がペン先より漏出しやすい。また、前記従来の塗布具は、温度変化等により容器内の圧力が上昇した際の容器内の圧力を調節する機能が不十分であるため、塗布液が、容器内からペン先に過剰供給され、外部に漏出するおそれがある。
【０００４】
本発明は、前記従来の問題点を解決するものであって、塗布液を注入する際、あるいは注入後に温度変化等により容器内の圧力が上昇した際、ペン先等から塗布液が漏出するおそれがない簡易塗布具を提供しようとするものである。さらには、本発明は、塗布液をペン先へ円滑に供給できると同時に、塗布具全体をコンパクトにできる簡易塗布具を提供しようとするものである。
【０００５】
【課題を解決するための手段】
本発明・簡易塗布具１は、ペン先２を保持するホルダー３と、内部に塗布液７を直接収容可能な容器６とからなり、前記容器６の先端に、容器６内部に塗布液７を注入するための注入孔６１を開口させると共に、前記注入孔６１に前記ホルダー３を着脱自在に構成し、前記ホルダー３を前記注入孔６１に装着することによって前記容器６内を密封してなり、
前記ホルダー３が、ペン先２外面を保持する筒状のペン先保持部５を備え、前記ペン先保持部５を注入孔６１から容器６内に挿入配置してなり、前記ペン先保持部５の内面に、複数本の軸方向のリブ５１を設け、前記リブ５１によりペン先２外面が圧入保持されるとともに、隣接する前記リブ５１相互間のペン先２外面とペン先保持部５内面との間に、容器６内部と容器６外部とを連通させ且つ毛細管力により塗布液７を保持する、毛細管力を有する軸方向の隙間８を形成し、前記ペン先保持部５内面より突出するリブ５１の径方向突出量を、後方に向かうに従い小さく設定し、前記隙間８の径方向の幅寸法Ｓを、後方に向かうに従い小さく設定し、前記隙間８は、温度変化等により容器６の内圧が増加した際、容器６内より溢出した塗布液７をその毛細管力により一時的に保持すると同時に、塗布液７を保持することにより外部からの空気流入を抑制し、塗布液７の消費に伴う容器６の内圧が減少した体積分だけ容器６内に空気流入を許容することを要件とする。
【０００６】
（作用）
塗布液７を容器６内に注入する際には、ホルダー３を容器６の注入孔６１から取り外し、前記注入孔６１を上向き状態で開口させ、前記注入孔６１から塗布液７を注入する。その後、前記注入孔６１にペン先２を備えたホルダー３を装着することにより、前記注入孔６１を塞ぎ、容器６内を密封する。それにより、塗布液７を容器６内に注入する前記過程において、塗布液７が外部に漏出するおそれがない。また、前記ペン先２を備えたホルダー３が容器６の蓋としての機能を兼ねるため、塗布具全体の部品点数が減少し、簡易な構造とすることができる。
【０００７】
【０００８】
（作用）
ペン先保持部５を容器６内に挿入配置してなることにより、ペン先保持部５を容器６外に取り付ける構成（本発明とは異なる構成）に比べて、容器６内の塗布液７収容部とペン先２との距離を短く設定できるので、ペン先２への塗布液７の供給が迅速且つ円滑になると同時に、塗布具全体をコンパクトに設定できる。
【０００９】
【００１０】
（作用）
前記隙間８は、温度変化等により容器６の内圧が増加した際、容器６内より溢出した塗布液７をその毛細管力により一時的に保持すると同時に、塗布液７を保持すること（液シール）により外部からの空気流入を抑制し、塗布液７の消費に伴う容器６の内圧が減少した体積分だけ容器６内に空気流入を許容する。
【００１１】
即ち、前記隙間８によって、温度変化等により容器６の内圧が増加しても、ペン先２から塗布液７が漏出するおそれがなく、また、塗布液７の消費等によって容器６の内圧が減少しても、常に過不足のない空気流入が維持されているため、塗布液７のペン先２への供給過剰または供給不足がなく、安定した連続的塗布が可能となる。したがって、塗布液７の流出及び空気の流入を制御するための弁機構等の複雑な構造が不要となり、塗布具全体を簡易な構造にして、製造コストを低く抑えることができる。
【００１２】
【００１３】
（作用）
前記隙間８の径方向の幅寸法Ｓを、後方に向かうに従い小さく設定したことによって、前記隙間８の毛細管力が、後方に向かうに従い次第に強く設定される。それにより、容器６内の圧力が増加した際には、前記隙間８の後端部分から順に前方へ、容器６内からの溢出した塗布液７が一時的に保持されていく。一方、容器６内の圧力が減少した際には、前記隙間８に一時的に保持された塗布液７が、前記隙間８の先端部分の塗布液７から順に、容器６内に途切れることなくスムーズに戻される。
【００１４】
さらに、前記隙間８の後部は、前記隙間８の前部よりも毛細管力が強く設定されるため、そこに、常に塗布液７が保持され、容器６内への空気流入を調節する液シール部が形成される。
【００１５】
即ち、前記隙間８の径方向の幅寸法Ｓを、後方に向かうに従い小さく設定したことにより、容器６内の圧力調節機能（即ち、容器６内への空気流入調節機能、及び塗布液７の一時的保持機能）が有効に発揮されるため、より一層、前記隙間８の作用が確実となる。
【００１６】
前記簡易塗布具１において、塗布液７が水であることが好ましい。それにより、長期間、塗布具を使用しないとき、注入孔６１からホルダー３を外して、該注入孔６１より容器６外部へ水７を容易に排出できるので、容器６内に水７を収容した状態で放置させることによる水７の漏出事故が未然に防止される。
【００１７】
【発明の実施の形態】
本発明の実施の形態を図面に従って説明する。
【００１８】
〔第１実施例〕
図１〜図５に本発明の第１実施例を示す。
【００１９】
本実施例の簡易塗布具１は、ペン先２と、該ペン先２が固着されたホルダー３と、該ホルダー３が着脱自在の容器６とからなる。
【００２０】
・ペン先
ペン先２は、繊維束の棒状の樹脂加工体（例えばポリエステル繊維またはポリアミド繊維の樹脂加工体）である。また、前記ペン先２は、塗布先端部として丸み形状を有する先端部と、縮径された後端部を備える。
【００２１】
・容器
前記容器６は、先端に注入孔６１が開口され且つ後端が閉塞された有底筒体であり、合成樹脂（例えばポリプロピレン樹脂）のブロー成形により得られる。前記容器６の先端には縮径部６２が形成されると共に、前記縮径部６２とその後方の容器６外面部との境目には肩部６３が形成される。前記容器６内には、塗布液７（ここでは水）が直接（即ち多孔質材料等に塗布液７を含浸させず）収容されている。
【００２２】
・ホルダー
前記ホルダー３は、小径部４１と大径部４２とからなる外筒４と、前記外筒４内面（即ち小径部４１後端）と一体に連設される内筒５とからなる二重筒体であり、合成樹脂（例えばＡＢＳ樹脂）の射出成形により得られる。前記内筒５は、その後端に底部を備えた有底筒体であり、その先端が前記外筒４内面（即ち小径部４１）と一体に連設されると共に、その後部が前記外筒４の後端より後方へ突出される。
【００２３】
前記ホルダー３を前記容器６の注入孔６１に装着すると、前記外筒４が、前記容器６の縮径部６２外面を覆い、且つ、前記外筒４の後端が前記容器６の肩部６３と当接する。それと同時に、前記内筒５が前記注入孔６１より容器６内部に挿入され、前記内筒５の外面が前記容器６の注入孔６１の内面に密嵌される。それにより、塗布液７の外部への漏出が防止される。また、塗布液７を容器６内に補給（注入）する際、または塗布液７を容器６内から排出する際、前記ホルダー３を容器６から取り外すことにより、前記内筒５外面と注入孔６１内面との密嵌状態が解除される。
【００２４】
・隙間
図２及び図３に示すように、前記ホルダー３の外筒４の小径部４１の内面及び内筒５の内面（即ちホルダー３のペン先保持部内面）には、軸方向のリブ５１が、複数本（ここでは６本）、等間隔に配設されている。前記リブ５１によってペン先２外面が圧入保持され、それにより、ペン先２の径方向のぐらつきが抑えられ、安定した塗布が可能となる。さらに、前記リブ５１によってペン先２外面が圧入保持されることにより、隣接する前記リブ５１相互間のペン先２外面と内筒５内面との間に、毛細管力を有する軸方向の隙間８が形成される。
【００２５】
前記内筒５内面より突出するリブ５１の径方向突出量は、後方に向かうに従い小さく設定されている。それにより、前記隙間８の径方向の幅寸法Ｓは、後方に向かうに従い次第に小さく設定され、その結果、前記隙間８の毛細管力が、後方に向かうに従い次第に強く設定される。尚、前記隙間８の径方向の幅寸法Ｓは、具体的には、図２において、０．４ｍｍに設定され、図３において、０．１５ｍｍに設定されている。
【００２６】
また、前記内筒５は縮径された後端部を有し、前記後端部内には、ペン先２の後端部が収容されると共に、ペン先２の後端面が内筒５の底面に当接されている。また、図４に示すように、前記後端部の側壁には連通孔５２が開口され、該連通孔５２を介して容器６内と内筒５内（即ちペン先２の後端部及び隙間８）とが連通される。
【００２７】
〔第２実施例〕
図６〜図１２に本発明の第２実施例を示す。
【００２８】
本実施例の簡易塗布具１は、第１実施例同様、ペン先２と、該ペン先２が固着されたホルダー３と、該ホルダー３が着脱自在の容器６とからなる。
【００２９】
・ペン先
ペン先２は、繊維束の棒状の樹脂加工体（例えばポリエステル繊維及びポリアミド繊維の樹脂加工体）である。前記ペン先２は、塗布先端部として先細形状の先端部を有すると共に、前記先端部とその後方のペン先２外面部との間に肩部が形成される。
【００３０】
・容器
前記容器６は、先端に注入孔６１が開口され且つ後端が閉塞された有底筒体であり、合成樹脂（例えばポリエチレンテレフタレート樹脂）のブロー成形により得られる。前記容器６の先端には縮径部６２が形成されると共に、該縮径部６２とその後方の容器６外面部との境目には肩部６３が形成される。また、前記容器６の縮径部６２の外面には、雄ねじ部６２ａが設けられている。前記容器６内には、第１実施例同様、塗布液７（ここでは水）が直接収容されている。
【００３１】
・ホルダー
前記ホルダー３は、前方の小径部４１と後方の大径部４２からなる外筒４と、該外筒４内面（即ち小径部４１内面）に先端外面が、圧入または接着等により固着される内筒５とからなる二重筒体であり、前記外筒４及び内筒５共に合成樹脂（例えばＡＢＳ樹脂等）の射出成形により得られる。前記外筒４の大径部４２内面には、前記容器６の先端外周面の雄ねじ部６２ａと螺合する雌ねじ部４２ａが形成されるとともに、前記外筒４の大径部４２内面の前記雌ねじ部４２ａ前方には環状段部４２ｂが形成される。前記内筒５は、その後端に底部を備えた有底筒体であり、後部が外筒４後端より後方に突出されている。
【００３２】
前記ホルダー３を前記容器６の注入孔６１に装着すると、前記外筒４の内面（雌ねじ部４２ａ）が、前記容器６の縮径部６２外面（雄ねじ部６２ａ）に螺着され、且つ、前記外筒４の後端が前記容器６の肩部６３と当接される。それと同時に、前記内筒５が前記注入孔６１より容器６内部に遊挿されるとともに、前記外筒４の内面の環状段部４２ｂと注入孔６１の開口端部とが密接され、それにより、塗布液７の外部への漏出が防止される。また、塗布液７を容器６内に補給（注入）する際、または塗布液７を容器６内から排出する際、前記ホルダー３を容器６から取り外すことにより、前記内筒５の環状段部４２ｂと注入孔６１の開口端部との密接状態が解除される。
【００３３】
・隙間
図９及び図１０に示すように、前記ホルダー３の内筒５の内面（即ちペン先保持部内面）には、軸方向のリブ５１が、複数本（ここでは６本）、等間隔に配設されている。前記リブ５１によってペン先２外面が圧入保持され、それにより、ペン先２の径方向のぐらつきが抑えられ、安定した塗布が可能となる。さらに、前記リブ５１によってペン先２外面が圧入保持されることにより、隣接する前記リブ５１相互間のペン先２外面と内筒５内面との間に、毛細管力を有する軸方向の隙間８が形成される。
【００３４】
前記内筒５内面より突出するリブ５１の径方向突出量は、後方に向かうに従い小さく設定されている。それにより、前記隙間８の径方向の幅寸法Ｓは、後方に向かうに従い次第に小さく設定され、その結果、前記隙間８の毛細管力が、後方に向かうに従い次第に強く設定される。尚、前記隙間８の径方向の幅寸法Ｓは、具体的には、図９において、０．３ｍｍに設定され、図１０において、０．１５ｍｍに設定されている。
【００３５】
また、前記内筒５は縮径された後端部を有し、前記後端部の側壁には複数（ここでは３個）の連通孔５２が開口され、該連通孔５２を介して容器６内と内筒５内（即ちペン先２の後端部及び隙間８）とが連通される。前記内筒５の後端部より僅かに前方の内面には、該内筒５の後端部側壁と連設するストッパ用リブ５３が設けられ、前記ストッパ用リブ５３とペン先２後端部とが当接している。
【００３６】
また、ホルダー３の小径部４１の先端には先端孔４１ａが設けられ、そこから外部へペン先２の先端部が突出されている。また、前記先端孔４１ａ内面とペン先２の先端部外面との間には空気孔が形成されている。
【００３７】
また、前記ペン先２の先端部の後方の外面は、その外径が、前記先端孔４１ａの内径より僅かに大きく設定されており、ペン先２のホルダー３からの脱落が防止される。さらに、前記ペン先２の先端部の後方の外面は、小径部４１内面の複数本（ここでは６本）の保持リブ４３により保持され、それにより、小径部４１内面との間に空気通路が形成される。
【００３８】
〔その他〕
【００３９】
・塗布液
尚、前記第１実施例、及び第２実施例において、前記容器６内には、塗布液７として水が収容され、水像シートに筆記可能な簡易塗布具１として適用される。この他にも、塗布液７として、インキ、化粧液、または薬液等を採用することもできる。
【００４０】
・ペン先
尚、本発明のペン先２としては、繊維束の樹脂加工体以外にも、例えば、合成樹脂等よりなる多孔質体、繊維束の熱融着多孔体、フェルト加工体、毛筆ペン体、ボールペンチップ、押出成形よりなるプラスチックペン体、パイプ状ペン体、先端にスリットを有する板状ペン体等を挙げることができる。
【００４１】
【発明の効果】
本発明は、塗布液を注入する際や、注入後に温度変化等により容器６内の圧力が上昇した際に、ペン先等から塗布液が外部に漏出するおそれがない。
【００４２】
本発明は、ペン先への塗布液の供給がスムーズになると同時に、塗布具全体をコンパクトにできる。
【００４３】
本発明は、温度変化等により容器の内圧が増加しても、ペン先から塗布液が漏出するおそれがなく、また、塗布液の消費等によって容器の内圧が減少しても、常に過不足のない空気流入が維持されているため、ペン先への供給過剰または供給不足がなく、安定した連続的塗布が可能となる。
【００４４】
本発明は、前記毛細隙間の毛細管力を後方に向かうに従い強く設定したことにより、空気流入調節機能、及び塗布液の一時的保持機能が有効に機能するため、より一層、隙間の作用が確実となる。
【００４５】
【図面の簡単な説明】
【図１】本発明の第１実施例を示す縦断面図である。
【図２】図１のＡ−Ａ線拡大断面図である。
【図３】図１のＢ−Ｂ線拡大断面図である。
【図４】図１のＣ−Ｃ線拡大断面図である。
【図５】図１の簡易塗布具においてホルダーを容器から外した状態の縦断面図である。
【図６】本発明の第２実施例を示す縦断面図である。
【図７】図６のＤ−Ｄ線拡大断面図である。
【図８】図６のＥ−Ｅ線拡大断面図である。
【図９】図６のＦ−Ｆ線拡大断面図である。
【図１０】図６のＧ−Ｇ線拡大断面図である。
【図１１】図６のＨ−Ｈ線拡大断面図である。
【図１２】図６の簡易塗布具においてホルダーを容器から外した状態の縦断面図である。
【符号の説明】
１ 簡易塗布具
２ ペン先
３ ホルダー
４ 外筒
４１ 小径部
４１ａ 先端孔
４２ 大径部
４２ａ 雌ねじ部
４２ｂ 環状段部
４３ 保持リブ
５ 内筒（ペン先保持部）
５１ リブ
５２ 連通孔
５３ ストッパ用リブ
６ 容器
６１ 注入孔
６２ 縮径部
６２ａ 雄ねじ部
６３ 肩部
７ 塗布液
８ 隙間
Ｓ 隙間の径方向の幅寸法
【図１】
0004401492.tif 000002
【図２】
0004401492.tif 000003
【図３】
0004401492.tif 000004
【図４】
0004401492.tif 000005
【図５】
0004401492.tif 000006
【図６】
0004401492.tif 000007
【図７】
0004401492.tif 000008
【図８】
0004401492.tif 000009
【図９】
0004401492.tif 000010
【図１０】
0004401492.tif 000011
【図１１】
0004401492.tif 000012
【図１２】
0004401492.tif 000013